(57)【要約】【課題】  情報記憶可能な駐車券に駐車階を記憶させることにより、駐車場階へ戻る際、階床を間違えること無く目的階へ到着することが出来るエレベータの制御装置を得る。また、乗場呼び、かご呼びの自動登録を行うことにより、利用客への利便性を向上させたエレベータの制御装置を得る。【解決手段】  複数の階床から成るビルに設置された乗用エレベータにおいて、全階床または予め決定された特定の階床のエレベータ乗場に設けられ、情報記憶可能な仕組みを持つカードの情報を読み取り可能な読取手段３と、読取手段が設置された階床からビル玄関階などの目的階へ向かう利用客が、予め発行されたカードを読取手段に読み込ませることにより該当階の乗場呼びを登録する乗場呼び登録手段６とを備える。【選択図】    図１
2005119847.tif 000002
【特許請求の範囲】
【請求項１】
複数の階床から成るビルに設置された乗用エレベータにおいて、
全階床または予め決定された特定の階床のエレベータ乗場に設けられ、情報記憶可能な仕組みを持つカードの情報を読み取り可能な読取手段と、
前記読取手段が設置された階床からビル玄関階などの目的階へ向かう利用客が、予め発行された前記カードを前記読取手段に読み込ませることにより該当階の乗場呼びを登録する乗場呼び登録手段と、
を備えたことを特徴とするエレベータの制御装置。
【請求項２】
乗場呼びに応答したエレベータに利用客が乗り込んだことを検出すると、予め設定された目的階へのかご呼びを自動登録する手段を備えたことを特徴とする請求項１に記載のエレベータの制御装置。
【請求項３】
カードを読取手段に読み込ませた際に、該当階の階床情報を前記カードに書き込ませる書込み手段を備え、更に、ビル玄関階などの特定の階床に前記カードの情報を読み取る読取手段を設け、前記特定の階床の乗場にて利用客が前記読取手段にカードを読み込ませた場合、先にカードに記憶された特定階床の情報により利用階で該当階床方向への乗場呼び及び該当階へのかご呼びを自動登録する手段を備えたことを特徴とする請求項１又は請求項２記載のエレベータの制御装置。
【請求項４】
ビル玄関階などの特定の階床に情報出力装置を設け、カードを特定の階床に設置した読取装置に読み込ませた際に、目的階床の情報を前記情報出力装置から出力させる手段を備えたことを特徴とする請求項３記載のエレベータの制御装置。
【請求項５】
該当階の階床情報をカード内部ではなく制御装置に備え付けたデータベースに記憶させるカード情報記憶手段を備えたことを特徴とする請求項３記載のエレベータの制御装置。
【発明の詳細な説明】
【技術分野】
【０００１】
この発明は、エレベータの乗場呼び、かご呼びを自動登録する機能を備えるエレベータの制御装置に関するものである。
【背景技術】
【０００２】
大型スーパーの駐車場や、駐車場専門の建物においては、限られたスペースに出来るだけ多くの自動車を駐車させることが可能なように複数の階床に渡って駐車スペースを備えているものがある。自走式駐車場の場合、利用客の乗った自動車は、駐車場入口で入庫日時等が書込まれた駐車券を受け取り、駐車スペースの空いている階床まで自走し、自動車を停めた後利用客はエレベーター等の昇降設備を利用して出口階へ向かうこととなる。前記昇降設備がエレベーターの場合、利用客は乗込む際に乗込んだ階床を記憶しておき、再び駐車場へ戻る際には入口階でエレベーターに乗り込んだ後、目的階床の呼び登録を行い、自動車を停めた階床へ戻ることとなる。
このような複数階の駐車スペースを備えた駐車場に関する従来の技術として、例えば自動車を入庫する際に空きスペースのある階床を予め検索し、その階床へ自動車を誘導するものがある（例えば、特許文献１参照）。
【０００３】
【特許文献１】特開２００１−３２９７１０号公報
【発明の開示】
【発明が解決しようとする課題】
【０００４】
上記従来の技術では、空きスペースのある階床へ誘導され停車した後、駐車場階から離れる際には同じ階床へ戻ってくるために駐車場階を自ら記憶する必要がある。しかし、階床を失念した場合、自ら複数の階床に跨って自動車を探すことを強いられる問題がある。特に階床数の多い駐車場などでは多大な不便を被ることになる。
【０００５】
この発明は上記のような課題を解決するためになされたもので、情報記憶可能な駐車券に駐車階を記憶させることにより、駐車場階へ戻る際、階床を間違えること無く目的階へ到着することが出来るエレベータの制御装置を提供するものである。
更に乗場呼び、かご呼びの自動登録を行うことにより、利用客への利便性を向上させることを目的としたものである。
【課題を解決するための手段】
【０００６】
この発明に係るエレベータの制御装置は、複数の階床から成るビルに設置された乗用エレベータにおいて、全階床または予め決定された特定の階床のエレベータ乗場に設けられ、情報記憶可能な仕組みを持つカードの情報を読み取り可能な読取手段と、読取手段が設置された階床からビル玄関階などの目的階へ向かう利用客が、予め発行されたカードを読取手段に読み込ませることにより該当階の乗場呼びを登録する乗場呼び登録手段とを備えたものである。
【発明の効果】
【０００７】
この発明は、複数の階床から成るビルに設置された乗用エレベータにおいて、全階床または予め決定された特定の階床のエレベータ乗場に設けられ、情報記憶可能な仕組みを持つカードの情報を読み取り可能な読取手段と、読取手段が設置された階床からビル玄関階などの目的階へ向かう利用客が、予め発行されたカードを読取手段に読み込ませることにより該当階の乗場呼びを登録する乗場呼び登録手段とを備えたので、利用客に対して発行された駐車券を読取装置に検出させることにより乗場呼びを自動登録することにより、駐車場利用者のみエレベータを使用させたい場合などのセキュリティが必要な運用において、利用者へのサービスを向上させることが出来る。
【発明を実施するための最良の形態】
【０００８】
実施の形態１．
この発明の実施の形態１におけるエレベータの制御装置について図面を用いて説明する。図１はエレベータの制御装置の概略構成を示すブロック図である。
図中、１はカード情報処理手段、２はカード情報検出手段、３はカード読取装置、４はカード書込み情報作成手段、５はカード書込み装置、６は乗場呼び登録手段、７はかご呼び登録手段、８は出力情報作成手段、９は情報出力装置をそれぞれ示す。図中の破線で囲った部分がエレベータ制御装置であり、それ以外の部分はエレベータ制御装置と情報伝達路が接続されている外部装置である。
【０００９】
この発明が適用される一例として、複数の階床からなる自走式駐車場ビルに設置されたエレベータシステムについて説明する。前記ビルの場合、自動車で駐車場ビル内に入る際に利用者はゲートで駐車券を受け取り、空いている駐車スペースまたは予め指定された駐車スペースヘ車を走行させる。複数の階床からなる駐車場であるため、２階以上の階床まで車を走行させる場合もある。駐車券には磁気テープやＩＣチップなど情報記憶可能な手段を備えている。２階以上の階の駐車スペースに車を停め、駐車場階から出口階ヘエレベーターを利用する場合、利用者は駐車場階乗場に設置されたカード読取装置３に駐車券を読み取らせる。その情報がカード情報検出手段２へと伝送され、制御盤側で情報の検出を認識する。検出された情報はカード情報処理手段１へと伝送され、用途に応じた処理を実施する。今回の場合は駐車券の読み取りに応じて該当階への乗場呼びを自動登録するため、乗場呼び登録手段６へ該当階に対する出口階方向の乗場呼び登録を実施するよう指令を出し、乗場呼び登録手段６では、その指令に従い、乗場呼びを自動登録する。更にカード書込み情報作成手段４に対して、該当階の情報を伝達し、駐車券に書込むフォームの情報を作成した後、カード書込み装置５へ情報を伝送することにより実際の駐車券に階床情報を記憶させる。
【００１０】
また、駐車場入口階から駐車場階へ戻るためにエレベータを利用する場合には、前記カード読取装置３、及びカード情報検出手段２にて同様に駐車券情報を読み取り、その情報がカード情報処理手段１へ送られると、入口階から駐車券に記憶された駐車場階へ向かう方向に対する乗場呼びを乗場呼び登録手段６により自動登録し、エレベータ応答後、利用客が乗車したことを検出すると、かご呼び登録手段７によって駐車券に記憶された駐車場階のかご呼びを自動登録する。
また、出力情報作成手段８に読み取った駐車券情報を伝送し、情報出力装置９に対して出力する案内情報を作成し、入口階乗場に設置された情報出力装置９に情報を伝送して、行先階床案内を利用客に対して実施する。
【００１１】
更に、カード書込み情報作成手段４にて作成した駐車場階情報を、カード書込み装置５により駐車券へ書込む代わりに、カード情報記憶手段１０によりメモリヘ書込む方法もある。
【００１２】
図２は駐車場階にて駐車券情報を読取装置で読み取り、出口階への乗場呼び及びかご呼びを自動登録するプロセスを説明した流れ図である。
図２において、ステップＳ１でカード読取装置３により駐車券情報を読み取る。ここでのカード読取装置３は磁器テープを装着しそれを接触させることにより読み取る方式が考えられる。また磁気テープではなく、ＩＣチップを搭載した駐車券で、非接触で読み取らせる方式を実施しても良い。次にステップＳ２へ進み、読み取った駐車券が有効なものであるかを判断する。なお、ステップＳ１で駐車券を読み取った際に、データベース１１に駐車券情報の有効／無効を照会する方法もある。この場合は駐車券に登録されたＩＤ情報がデータベース１１に登録されたものであれば有効と判断し、そうでなければ無効と判断する。これにより無効な駐車券をブロックすることが可能となる。ステップＳ２で読み取った駐車券情報が無効であれば処理を終え、有効であればステップＳ３へ進む。ステップＳ３では駐車券を読み取ったカード読取装置３の設置されている階床情報を同じ装置により駐車券へ書込む。次にステップＳ４へ進み、駐車券を読み込んだ階床での、駐車場出口階方向への乗場呼びを自動登録する。例えば駐車場階が５階で駐車場出口階が１階であれば、５階の下方向乗場呼びを自動で登録する。ステップＳ５にて該当階乗場呼びに応答したかごが到着したことを検出し、ステップＳ６で利用者が該当かごへ乗車したことを検出すると、ステップＳ７へ進んで、出口階のかご呼びを自動登録する。上述した例を取ると、出口階である１階のかご呼びを自動に登録する。
以上のように、乗場呼び登録に応答したエレベータに乗車した際に出口階へのかご呼びを自動登録させることにより、出口階が予め１階床に限定されている場合は、利用客にかご呼び登録釦させる必要がなくなり、利用客への利便性を向上させることが出来る。
【００１３】
なお、この実施の形態１ではかご呼びを自動登録する説明のみであるが、自動登録する階床以外の階への登録を不可と制御することにより、間違って他階へ行くのを阻止したり、セキュリティ上他階へ進入するのを阻止する場合の仕組みを備えることも考えられる。
【００１４】
実施の形態２．
図３はこの発明の実施の形態２におけるエレベータの制御装置を示すもので、駐車場入口階にて駐車券を読取装置に読み込ませることにより駐車階方向の乗場呼びを自動登録し且つ該当階へのかご呼びを自動登録するプロセスを説明した流れ図である。
図３において、Ｓ１１でカード読取装置３により駐車券を読み込み、ステップＳ１２で読み込んだ情報が有効であるか無効であるかを判定する。その際にデータベース１１に有効駐車券ＩＤを記憶しておき、そのデータベース１１に読み込んだ駐車券ＩＤを照会する方式も考えられる。駐車券が有効であると判断されたら、ステップＳ１３にて駐車場階方向への乗場呼びを自動登録する。例えば駐車場階を５階と記録した場合、駐車場入口階が１階であれば、１階上方向の乗場呼びを自動で登録する。更にステップＳ１４にて駐車場階情報を駐車場入口階乗場に設置した情報出力装置９にて駐車場階情報を画面出力する。これはエレベータの利用客が複数人いる場合、かご呼び自動登録では自分の目的階が判らない場合に有効な手段となる。例えば、「あなたの駐車場階は５階です」などと画面にメッセージを出力する方法が考えられる。次にステップＳ１５にて、乗場呼びに応答したかごが駐車場入口階に到着し、ステップＳ１６で利用客が該当かごへ乗車したら、ステップＳ１７にて駐車場階のかご呼びを自動登録する。
以上のように、駐車場階から乗場呼びを登録する際に、駐車券に対して乗込んだ階床情報を記憶し、そして駐車階へ戻る際、入口階において駐車券を読取装置に読み込ませ、駐車階のかご呼び登録を自動で実施することにより、駐車場階を忘れてしまっても、予め駐車階を記憶させていた駐車券を参照することによって駐車階を得ることが出来る。
また、駐車階情報を記憶した駐車券を入口階乗場に備えた読取装置に読み取らせ、駐車階を乗場に設置した情報出力装置から利用客ヘアナウンスすることにより、入口階で複数の利用客がエレベータを利用する場合、複数階のかご呼びが自動登録されることによって自分の目的階が分からなくなることを防ぐことが出来る。
【００１５】
実施の形態１でも説明したが、この実施の形態２ではかご呼びを自動登録する説明のみであるが、自動登録する階床以外の階への登録を不可と制御することにより、間違って他階へ行くのを阻止したり、セキュリティ上他階へ進入するのを阻止する場合の仕組みを備えることも考えられる。
【００１６】
実施の形態３．
図４はこの発明の実施の形態３におけるエレベータの制御装置を示すもので、駐車場階にて駐車券情報を読取装置で読み取り、出口階への乗場呼び及びかご呼びを自動登録するプロセスを説明した流れ図である。
図４において、ステップＳ２１にて駐車券をカード読取装置３により読み取る。そしてステップＳ２２にて読み取った駐車券が有効であるか無効であるかを判断し、有効であればステップＳ２３へと進む。ステップＳ２３では、駐車券を読み取ったカード読取装置３の設置されている階床情報をデータベース１２に書込む。図２の実施の形態１の流れ図ではここでの処理を駐車券に書込んでいるが、この実施の形態３では駐車券ではなく制御盤に備え付けられたデータベース１２に記録する形態を取る。以降のステップＳ２４〜ステップＳ２７の処理の流れは図２で説明した実施の形態１のステップＳ４〜ステップＳ７の処理と同様になるので説明は省略する。
以上のように、駐車券に記憶させる駐車場階情報を、駐車券でなく制御装置に備え付けたデータベースに記憶させることにより、駐車券に該当階情報を記憶させる容量を設けずに駐車場階情報を保持することが出来る。
【００１７】
実施の形態４．
図５はこの発明の実施の形態４におけるエレベータの制御装置を示すもので、駐車場入口階にて駐車券を読み込み、駐車場階へ向かう方向の乗場呼び自動登録及び駐車場階のかご呼び自動登録を説明した流れ図であり、駐車場階情報を駐車券の中にではなく制御盤に備え付けられたデータベースに記憶させる方法である。
図５において、駐車場入口乗場に設置されたカード読取装置３によって駐車券を読み取る。読み取った駐車券ＩＤを基にデータベース１２ヘ該当ＩＤに対応する駐車場階情報を照会し取得する。ステップＳ３２にて駐車券が有効であり、駐車場階情報が正しければステップＳ３３に進み、駐車場階方向への乗場呼びを自動登録する。以降のステップＳ３４〜ステップＳ３７の処理の流れは図３で説明した実施の形態２のステップＳ１４〜ステップＳ１７の処理と同様となるため説明は省略する。
【００１８】
また、この発明の実施の形態の説明として駐車場ビルを用いているが、駐車場以外の目的で、例えば一般オフィスビルのセキュリティ対策に応用することも考えられる。
これにより、駐車場利用者のみエレベータを使用させたい場合などのセキュリティが必要な運用において、利用者へのサービスを向上させることが出来る。
【図面の簡単な説明】
【００１９】
【図１】この発明の実施の形態１におけるエレベータの制御装置の概略構成を示すブロック図である。
【図２】この発明の実施の形態１におけるエレベータの制御装置の駐車場階にて駐車券情報を読み取り、乗場呼び及びかご呼びを自動登録するプロセスを説明した流れ図である。
【図３】この発明の実施の形態２におけるエレベータの制御装置の駐車場入口階にて駐車券を読み取り、乗場呼びを自動登録し且つ該当階へのかご呼びを自動登録するプロセスを説明した流れ図である。
【図４】この発明の実施の形態３におけるエレベータの制御装置の駐車場階にて駐車券情報を読み取り、乗場呼び及びかご呼びを自動登録するプロセスを説明した流れ図である。
【図５】この発明の実施の形態４におけるエレベータの制御装置の駐車場入口階にて駐車券を読み取り、駐車場階へ向かう方向の乗場呼び自動登録及び駐車場階のかご呼び自動登録を説明した流れ図である。
【符号の説明】
【００２０】
１  カード情報処理手段
２  カード情報検出手段
３  カード読取装置（手段）
４  カード書込み情報作成手段
５  カード書込み装置（手段）
６  乗場呼び登録手段
７  かご呼び登録手段
８  出力情報作成手段
９  情報出力手段    
１０  カード情報記憶手段
１１、１２  データベース
【図１】
2005119847.tif 000003
【図２】
2005119847.tif 000004
【図３】
2005119847.tif 000005
【図４】
2005119847.tif 000006
【図５】
2005119847.tif 000007